(57)【要約】指袋自体を立体的に編成することにより、指を指袋に通し易くて、履き易い靴下を提供する。少なくとも前後一対の対向する針床を有する横編機で編成され、つま先側部分に５本の足指の内の少なくとも１本以上を収容する指袋（４０）を含む靴下であって、指袋（４０）は、足指の厚み方向に対向する上面編地部（４２）と下面編地部（４４）と、足指の幅方向に対向する側面編地部（４６）とを含み、上面編地部（４２），下面編地部（４４）と、側面編地部（４６）とには、上面編地部（４２）および下面編地部（４４）の編み目方向と、側面編地部（４６）の編み目方向とが、交差する方向に編成されている、編み目を含むことを特徴とする、靴下である。
2016079794.tif 000002
【特許請求の範囲】
【請求項１】
少なくとも前後一対の対向する針床を有する横編機で編成され、つま先側部分に５本の足指の内の少なくとも１本以上を収容する指袋を含む靴下であって、  前記指袋は、前記足指の厚み方向に対向する上面編地部と下面編地部、および前記足指の幅方向に対向する側面編地部を含み、前記上面編地部および前記下面編地部と、前記側面編地部とには、前記上面編地部および前記下面編地部の編み目方向と、前記側面編地部の編み目方向とが、交差する方向に編成されている編み目を含むことを特徴とする、靴下。
【請求項２】
前記靴下の前記つま先側部分に、５本の足指の内の少なくとも１本以上を収容する、２つ、３つ、および５つの内のいずれかの数の指袋を含む、請求項１に記載の靴下。
【請求項３】
前記靴下の前記つま先側部分に、５本の足指をそれぞれ別個に収容する５つの指袋を含み、前記５つの指袋は、足の親指用の指袋、人差し指用の指袋、中指用の指袋、薬指用の指袋および小指用の指袋を有する、請求項２に記載の靴下。
【請求項４】
前記指袋は、ウエール方向の編み目の数を調整することによって、前記指袋の高さが調整可能となる、請求項１〜請求項３のいずれか１項に記載の靴下。
【請求項５】
前記靴下を着用した際に、足の土踏まず部、足の側部および足の甲部を含む周胴部と対向する前記靴下の部位は、少なくともその一部に、表糸および裏糸と、弾性糸とで編成される周胴編地部を含み、前記周胴編地部は、前記表糸および前記裏糸で編成される複数のコース間に、前記弾性糸が２コース以上編成されている、請求項１〜請求項４のいずれか１項に記載の靴下。
【請求項６】
前記指袋の前記上面編地部、前記下面編地部および前記側面編地部の内のいずれか１つの編地部または２つ以上の編地部に、メッシュ部が編成されている、請求項１〜請求項５のいずれか１項に記載の靴下。
【請求項７】
少なくとも前後一対の対向する針床を有する横編機で編成され、つま先側部分に５本の足指の内の少なくとも１本以上を収容する指袋を編成するようにした靴下の編成方法であって、前記足指の厚み方向に対向する上面編地部と下面編地部、および前記足指の幅方向に対向する側面編地部を備えた前記指袋を編成する工程を含み、前記上面編地部および前記下面編地部と、前記側面編地部とに、前記上面編地部および前記下面編地部の編み目方向と、前記側面編地部の編み目方向とが、交差する方向に編成されている編み目を含むように編成したことを特徴とする、靴下の編成方法。
【請求項８】
前記指袋を編成する工程は、前記靴下の前記つま先側部分に、５本の足指の内の少なくとも１本以上を収容する、２つ、３つ、および５つの内のいずれかの数の指袋を編成する工程を含む、請求項７に記載の靴下の編成方法。
【請求項９】
前記指袋を編成する工程は、前記靴下の前記つま先側部分に、５本の足指をそれぞれ別個に収容する５つの指袋として、足の親指用の指袋、人差し指用の指袋、中指用の指袋、薬指用の指袋および小指用の指袋を編成する工程を含む、請求項８に記載の靴下の編成方法。
【請求項１０】
前記指袋は、ウエール方向の編み目の数を調整することによって、前記指袋の高さを調整可能とした、請求項７〜請求項９のいずれか１項に記載の靴下の編成方法。
【請求項１１】
前記靴下を着用した際に、足の土踏まず部、足の側部および足の甲部を含む周胴部と対向する前記靴下の部位は、少なくともその一部に、表糸および裏糸と、弾性糸とで編成される周胴編地部を含み、前記周胴編地部は、前記表糸および前記裏糸で編成される複数のコース間に、前記弾性糸が２コース以上編成する工程により形成される、請求項７〜請求項１０のいずれか１項に記載の靴下の編成方法。
【請求項１２】
前記指袋の前記上面編地部、前記下面編地部および前記側面編地部の内のいずれか１つの編地部または２つ以上の編地部に、メッシュ部を編成するようにした、請求項７〜請求項１１のいずれか１項に記載の靴下の編成方法。
【発明の詳細な説明】
【技術分野】
【０００１】  本発明は、靴下及びその編成方法に関し、特に、横編機を用いて編成され、例えば、つま先側部分に５つの指袋、３つの指袋、２つの指袋（所謂、足袋）等、複数の指袋を有する靴下に適用されて好適である、靴下及びその編成方法に関する。
【背景技術】
【０００２】  近年、スポーツ市場において、例えば５つの指袋付きの靴下の需要が高まって来ている。個々の足指の独立性、運動時の足指の踏ん張り、あるいは、汗をかいたりしたときの各足指間の蒸れや異臭および水虫等を防止して足指の快適性に寄与することなどが評価されている。反面、横編機で平面的に編み立てられるこのような指袋付き靴下は、履き易さ等の着用という観点でいうと、５本の足指を５つの各指袋に通し難く、指先にストレスを感じるという問題点を有するものであった。  そこで、当該問題点を改善するために、例えば、少なくとも前後一対の対向するニードルベッドを有する横編機で編成され、筒状編地のループ数を減少させて５本指の付け根部分から絞られた土踏まず部分の括れを編成するようにした靴下等の編成方法が提案されている（例えば、特許文献１および特許文献２参照。）。そのため、このような従来の靴下では、それ以前の従来の５本指付き靴下に比べると、指袋のつけ根部分を比較的大きくとれるので指袋の幅が広く、各指が夫々の指袋に入り易くて履き易い靴下となっている。
【先行技術文献】
【特許文献】
【０００３】
【特許文献１】特許第３０１４６３４号公報
【特許文献２】特開平１１−１０７１４２号公報
【発明の概要】
【発明が解決しようとする課題】
【０００４】  しかしながら、このような従来の靴下の編成方法では、指袋のつけ根部分の幅を幅広に形成して指を指袋に入れ易くすることにより、比較的履きやすいものとはなっているものの、各指袋自体が十分に立体的に編成されていないため、当該従来の靴下では、未だに、指を指袋に通し難いものであり、指先にストレスを感じるという上記した問題点を解消するまでに至っていない。【０００５】  それゆえに、本発明の主たる目的は、指袋自体を立体的に編成することにより、指を指袋に通し易くて、履き易い靴下を提供することである。
【課題を解決するための手段】
【０００６】請求項１に係る本発明は、少なくとも前後一対の対向する針床を有する横編機で編成され、つま先側部分に５本の足指の内の少なくとも１本以上を収容する指袋を含む靴下であって、指袋は、足指の厚み方向に対向する上面編地部および下面編地部と、足指の幅方向に対向する側面編地部とを含み、上面編地部および下面編地部と、側面編地部とには、上面編地部および下面編地部の編み目方向と、側面編地部の編み目方向とが、交差する方向に編成されている編み目を含むことを特徴とする、靴下である。請求項１に係る本発明は、上記した構成を有することにより、特に、当該足指の上面編地部，下面編地部と側面編地部とに、上面編地部，下面編地部の編み目方向と側面編地部の編み目方向とが交差する方向に編成されている編み目が含まれていて、この場合、当該編み目は、互いに反発する方向に編成されているので、指袋が立体的な角筒状に編成されるものとなっている。そのため、本発明に係る靴下では、当該角筒状の指袋に足指を通し易く、結果として、履き易いものとなっている。請求項２に係る本発明は、請求項１に係る発明に従属する発明であって、靴下のつま先側部分に、５本の足指の内の少なくとも１本以上を収容する、２つ、３つ、および５つの内のいずれかの数の指袋を含む、靴下である。請求項２に係る本発明は、上記した構成を有することにより、請求項１に係る発明と同様の作用・効果を備えた２つ、３つ、および５つの内のいずれかの数の指袋を有する靴下が編成されるものとなっている。請求項３に係る本発明は、請求項２に係る発明に従属する発明であって、靴下のつま先側部分に、５本の足指をそれぞれ別個に収容する５つの指袋を含み、５つの指袋は、足の親指用の指袋、人差し指用の指袋、中指用の指袋、薬指用の指袋および小指用の指袋を有する、靴下である。請求項３に係る本発明は、上記した構成を有することにより、請求項２に係る発明と同様の作用・効果を備えた５つの指袋を有する靴下が編成されるものとなっている。請求項４に係る本発明は、請求項１〜請求項３のいずれか１項に係る発明に従属する発明であって、指袋は、ウエール方向の編み目の数を調整することによって、指袋の高さが調整可能となることを特徴とする、靴下である。請求項４に係る本発明は、上記した構成を有することにより、請求項１〜請求項３のいずれか１項に係る発明と同様の作用・効果を備えるものであり、特に、たとえば５つの指袋を有する靴下に適用された場合、親指〜小指の５本の足指の高さ、すなわち、厚み（太さ）の変化にも対応した指袋を編成することが可能となっている。請求項５に係る本発明は、請求項１〜請求項４のいずれか１項に係る発明に従属する発明であって、靴下を着用した際に、足の土踏まず部、足の側部および足の甲部を含む周胴部と対向する靴下の部位は、少なくともその一部に、表糸および裏糸と、弾性糸とで編成される周胴編地部を含み、周胴編地部は、表糸および裏糸で編成される複数のコース間に、弾性糸が２コース以上編成されていることを特徴とする、靴下である。請求項５に係る本発明は、上記した構成を有することにより、請求項１〜請求項４のいずれか１項に係る発明と同様の作用・効果を備えると共に、弾性糸による靴下のコース方向への伸び効果が向上する。この場合、弾性糸のコース数を増やすことにより、当該コース方向への伸び効果を調整することが可能となっている。請求項６に係る本発明は、請求項１〜請求項５のいずれか１項に係る発明に従属する発明であって、指袋の上面編地部、下面編地部および側面編地部の内のいずれか１つの編地部または２つ以上の編地部に、メッシュ部が編成されていることを特徴としている、靴下である。請求項６に係る本発明は、上記した構成を有することにより、請求項１〜請求項５のいずれか１項に係る発明と同様の作用・効果を備えるものであって、さらに、メッシュ部による通気効果を指袋に付与するものとなっている。請求項７に係る本発明は、少なくとも前後一対の対向する針床を有する横編機で編成され、つま先側部分に５本の足指の内の少なくとも１本以上を収容する指袋を編成するようにした靴下の編成方法であって、足指の厚み方向に対向する上面編地部および下面編地部と、足指の幅方向に対向する側面編地部を備えた前記指袋を編成する工程とを含み、上面編地部および下面編地部と、側面編地部とに、上面編地部および下面編地部の編み目方向と、側面編地部の編み目方向とが、交差する方向に編成されている編み目を含むように編成したことを特徴とする、靴下の編成方法である。請求項７に係る本発明は、上記した構成を有することにより、請求項１に係る発明と同様の作用・効果を備えた指袋を有する靴下が編成される。請求項８に係る本発明は、請求項７に係る発明に従属する発明であって、指袋を編成する工程は、靴下のつま先側部分に、５本の足指の内の少なくとも１本以上を収容する、２つ、３つ、および５つの内のいずれかの数の指袋を編成する工程を含む、靴下の編成方法である。請求項８に係る本発明は、上記した構成を有することにより、請求項２に係る発明と同様の作用・効果を備えた靴下が編成される。請求項９に係る本発明は、請求項８に係る発明に従属する発明であって、指袋を編成する工程は、靴下のつま先側部分に、５本の足指をそれぞれ別個に収容する５つの指袋として、足の親指用の指袋、人差し指用の指袋、中指用の指袋、薬指用の指袋および小指用の指袋を編成する工程を含む、靴下の編成方法である。  請求項９に係る本発明は、上記した構成を有することにより、請求項３に係る発明と同様の作用・効果を備えた靴下が編成される。請求項１０に係る本発明は、請求項７〜請求項９のいずれか１項に係る発明に従属する発明であって、指袋は、ウエール方向の編み目の数を調整することによって、指袋の高さを調整可能としたことを特徴とする、靴下の編成方法である。請求項１０に係る本発明は、上記した構成を有することにより、請求項４に係る発明と同様の作用・効果を備えた靴下が編成される。請求項１１に係る本発明は、請求項７〜請求項１０のいずれか１項に係る発明に従属する発明であって、靴下を着用した際に、足の土踏まず部、足の側部および足の甲部を含む周胴部と対向する靴下の部位は、少なくともその一部に、表糸および裏糸と、弾性糸とで編成される周胴編地部を含み、周胴編地部は、表糸および裏糸で編成される複数のコース間に、弾性糸が２コース以上編成する工程により形成される���靴下の編成方法である。請求項１１に係る本発明は、上記した構成を有することにより、請求項５に係る発明と同様の作用・効果を備えた靴下が編成される。請求項１２に係る本発明は、請求項７〜請求項１１のいずれか１項に係る発明に従属する発明であって、指袋の上面編地部、下面編地部および側面編地部の内のいずれか１つの編地部または２つ以上の編地部に、メッシュ部を編成するようにしたことを特徴とする、靴下の編成方法である。請求項１２に係る本発明は、上記した構成を有することにより、請求項６に係る発明と同様の作用・効果を備えた靴下が編成される。
【発明の効果】
【０００７】  本発明によれば、指袋自体を立体的に編成することにより、指を指袋に通し易くて、履き易い靴下及びその編成方法が得られる、という効果がある。【０００８】  本発明の上述の目的、その他の目的、特徴および利点は、図面を参照して行う以下の発明を実施するための形態の説明から一層明らかとなろう。
【図面の簡単な説明】
【０００９】
【図１】本発明に係る靴下の実施の形態の一例を示す斜視図であって、特に、当該靴下を平面側（足表側部）から見た斜視図である。
【図２】図１に示す靴下の概略平面図である。
【図３】図１に示す靴下を底面側（足裏側部）から見た斜視図である。
【図４】図３に示す靴下の概略底面図である。
【図５】図５の（Ａ）は、本発明に係る靴下を足型に履かせた状態を示す斜視図であり、図５の（Ｂ）は、その要部［図５の（Ａ）のＡ部］を示す拡大図解図であり、図５の（Ｃ）は、図５の（Ｂ）の変形例を示す拡大図解図である。
【図６】本発明に係る靴下を足型に履かせた状態を示す他の斜視図である。
【図７】図７の（Ａ）は、本発明に係る靴下を足型に履かせた状態を示すさらに他の斜視図であり、図７の（Ｂ）は、その要部［図７の（Ａ）のＢ部］を示す拡大図解図である。
【図８】図６および図７に示す靴下をつま先部側から見た概略正面図である。
【図９】本発明に係る靴下を足型に履かせた状態を示すさらに他の斜視図であって、特に、当該靴下を底面側（足表側）から見た斜視図である。
【図１０】本発明に係る靴下の実施の形態の他の例を示す斜視図であって、特に、当該靴下を底面側（足裏側）から見た斜視図である。
【図１１】図１０に示す靴下の概略底面である。
【図１２】本発明に係る靴下の要部の編成方法の一例を示す編成工程図である。
【図１３】本発明に係る靴下の他の要部の編成方法の一例を示す編成工程図である。
【図１４】本発明に係る靴下のさらに他の要部の編成方法の一例を示す編成工程図である。
【発明を実施するための形態】
【００１０】  図１は、本発明に係る靴下の実施の形態の一例を示す斜視図であって、特に、当該靴下を平面側（足表側）から見た斜視図である。また、図２は、図１に示す靴下の概略平面図であり、図３は、図１に示す靴下を底面側（足裏側）から見た斜視図であり、図４は、図３に示す靴下の概略底面図である。さらに、図５の（Ａ）は、本発明に係る靴下を足型に履かせた状態を示す斜視図であり、図５の（Ｂ）は、その要部［図５の（Ａ）のＡ部］を示す拡大図解図であり、図５の（Ｃ）は、図５の（Ｂ）の変形例を示す拡大図解図である。  靴下１０は、靴下本体と、つま先部１２とを含み、靴下本体は、当該靴下１０の履口部分となる足挿入口部１０Ａ、足首側部１４、足甲部１６、足側面部１８および足底を含み、足底は、土踏まず部２０、拇指球部２４、踵部２６を含む構成となっている。
【００１１】また、この靴下１０のつま先部１２には、指袋３０が形成されている。指袋３０は、親指用指袋部３２、人差し指用指袋部３４、中指用指袋部３６、薬指用指袋部３８および小指用指袋部４０の例えば５つの指袋部を有している。この靴下１０を着用した場合、５つの指袋部３２〜４０は、５本の指をそれぞれ別個に収容するものとなっている。図１〜図５に例示した靴下１０は、左足用を示し、右足用を省略しているけれども、右足用は、左足用と左右対称の形状を有するようにすればよい。すなわち、右足用とする場合には、親指用指袋部３２、人差し指用指袋部３４、中指用指袋部３６、薬指用指袋部３８および小指用指袋部４０の配置を対称にすればよい。
【００１２】  この靴下１０は、つま先部１２から編成される、親指用指袋部３２、人指し指用指袋部３４、中指用指袋部３６、薬指用指袋部３８、小指用指袋部４０の各指袋部と、この指袋部３２〜４０を統合し、１つの筒状編地に編成された足甲部１６のつま先部１２側（所謂、「５本胴」と称する部位）と、この足甲部１６のつま爪部１２側から括れを有するように形成された土踏まず部２０と、踵部２６および足首側部１４とを形成した後、当該足首側部１４の上端側に足挿入口部１０Ａが形成されるものとなっている。なお、この靴下１０は、たとえば足挿入口部１０Ａ側から、つま先部１２側へと編成されるものであってもよい。
【００１３】  この場合、靴下１０は、横編機（図示せず）の前後のニードルベッドの編針に亘って編糸を給糸し、それぞれ、つま先部１２から編み出された親指用指袋部３２、人指し指用指袋部３４、中指用指袋部３６の各指袋が形成され、これらの指袋部３２〜３６が統一された、所謂、３本胴が所定のコース方向に編成された後、薬指用指袋部３８が編成される。さらに、当該３本胴と薬指用指袋部３８とが統一された、所謂、４本胴が筒状に編成された後、小指用指袋部４０が編成され、４本胴と小指用指袋部４０とが１つに統一した、所謂、靴下１０の５本胴が所定のコース数分、編成される。そして、５本胴が形成されると、土踏まず部２０および踵部２６が形成された後、足首側部１４から足挿入口１０Ａまで筒状に編成されるものとなっている。
【００１４】この靴下１０を編成する横編機としては、例えば、左右方向に延びて配設され、編針を摺動可能に装着した少なくとも前後一対の対向する針床を有し、その歯口部が近接する状態で側面視において略「ハ」の字形で前後に配設し、各針床の上面をスライド走行するキャリッジによって、各編針が進退自在にスライド操作されると共に、前後の針床が相対的にラッキング可能に形成された構造の横編機が用いられ得る。なお、横編機としては、左右方向に延びて、且つ、前後方向に互いに対向する前後一対の針床と、前後の針床間で編目の目移しが可能な２枚ベッドの横編機以外にも、例えば、４枚ベッドの横編機も用いられ得る。
【００１５】この靴下１０は、特に、５つの指袋部３２〜４０の各指袋部自体を立体的に編成するための編成構造に特徴を有しているため、先ず、当該編成構造について、たとえば図５、図６および図７を参照しながら、以下、詳細に説明する。５つの指袋部３２〜４０の各指袋部は、基本的に同じ編成構造を有しているので、小指用指袋部４０を一例に挙げて、以下、説明する。小指用指袋部４０は、図５の（Ａ）に示すように、足指（この場合、足小指）の厚み方向に対向する上面編地部４２および下面編地部４４と、足指の幅方向に対向する２つの側面編地部４６，４６と、上面編地部４２，下面編地部４４，側面部４６，４６で囲繞された足指のつま先部１２側の開口部を閉鎖する先端面編地部４８とを含む。上面編地部４２および下面編地部４４は、本靴下１０を着用したときに、足指の上面側および下面側を覆い、２つの側面編地部４６，４６は、足指の対向する側面側を覆い、先端面編地部４８は、足指の先端部側を覆うようにして、当該小指用指袋部４０に足小指を収容する編地部位となっている。
【００１６】上面編地部４２，下面編地部４４および先端面編地部４８は、それぞれ、その全面に、たとえば平編み部４３，４５および４９が編成され、当該平編み部４３の編み目方向は、図５，図６および図７に示すように、足指の長さ方向に延びて編成されている。一方、足指の幅方向に対向する２つの側面編地部４６，４６は、その全面に、たとえばガーター編み部４７が編成され、当該ガーター編み部４７の編み目方向は、図５，図６および図７に示すように、足指の高さ方向（厚み方向）に延びて編成されている。
【００１７】すなわち、上面編地部４２および下面編地部４４の編み目方向と、対向する２つの側面編地部４６，４６の編み目方向とは、図５の（Ｂ）および図７の（Ｂ）に示すように、互いに直交する方向に編成されている。なお、先端面編地部４８の編み目方向は、図５および図６で見ると、対向する２つの側面編地部４６，４６の編み目方向と同様に、足指の高さ方向（厚み方向）に延びて編成されているように見えるが、編み方向として考えた場合、上面編地部４２，下面編地部４４および先端面編地部４８には、横編機により平編み部が同方向に編成されているため、当該上面編地部４２，下面編地部４４および先端面編地部４８の編み目方向と、対向する２つの側面編地部４６，４６の編み目方向とは、直交する方向に編成されるものとなっている。この靴下１０の５つの指袋部３２〜４０は、それぞれ、上面編地部４２、下面編地部４４および先端面編地部４８の編み目方向と、対向する２つの側面編地部４６，４６の編み目方向とが、特に、直交する方向、つまり、互いに反発する方向に編成されているため、各指袋部３２〜４０自体を立体的に編成することができる。すなわち、足指の挿入口部をたとえば４角形筒状に編み立てることによって、当該足指の挿入口部を立体的に編成することができる。そのため、この靴下１０は、５本の足指を各指袋部３２〜４０に通し易くて、従来の５本指付きの靴下に比べて、極めて、履き易い靴下となっている。
【００１８】  次に、上記した指袋部４０の対向する側面編地部４６，４６のガーター編み部４７の編成方法について、たとえば図１２を参照しながら、以下、詳細に説明する。図１２において、左側枠外の英文字Ｂは、横編機の後側針床を示し、英文字Ｆは、前側針床を示し、右側枠外の英文字Ｓ１〜Ｓ１０は、工程番号を示し、英文字ＮＫは、選針しない無編成の空コースを示し、図中の黒点・は、前側針床Ｆおよび後側針床Ｂに配設される編針を示し、図中の上下方向の矢印は、矢印の方向に目移しが行われることを示している。
【００１９】  以下に、図１２を参照しながら、ステップＳ１〜ステップＳ１０に係る編成工程ついて、順次、説明する。ステップＳ１〜ステップＳ１０に係る編成工程では、表糸の一例として、綿、ポリエステル等の合成繊維の混合糸が用いられ得る。また、裏糸の一例としては、ポリウレタン弾性糸等を芯糸に用いて、ナイロン糸およびポリエステル糸等で巻いたＦＴＹ（カバードヤーン／カバーリングヤーン）が用いられ得る。
【００２０】（１）ステップＳ１表糸と裏糸が後側針床Ｂの編針に給糸され、それぞれ、表糸および裏糸のループがコース方向（図１２の紙面で見て左側から右側方向）に形成される。（２）ステップＳ２表糸と裏糸が前側針床Ｆの編針に給糸され、それぞれ、表糸および裏糸のループがコース方向（図１２の紙面で見て右側から左側方向）に形成される。（３）ステップ３後側針床Ｂのループ位置において、目移し針が横編機上で選別され、目移し（給糸された編針を空き針に移す）の準備がなされる。（４）ステップ４ステップ３で選別された編針を後側針床Ｂから前側針床Ｆに対して、ステップ４の矢印の方向に目移しを行う。この場合、後側針床Ｂの編針から前側針床Ｆの空き針に目移しが行われる。（５）ステップ５表糸と裏糸が前側針床Ｆおよび後側針床Ｂの編針に給糸され、それぞれ、表糸および裏糸のループがコース方向（図１２の紙面で見て左側から右側方向）に形成される。（６）ステップ６前側針床Ｆのループ位置において、目移し針が横編機上で選別され、目移しの準備がなされる。（７）ステップ７ステップ６で選別された編針を前側針床Ｆから後側針床Ｂに対して、ステップ７の矢印の方向に目移しを行う。この場合、前側針床Ｆの編針から後側針床Ｂの空き針に目移しが行われると同時に返還される。（返還とは、目移し動作後、元の給糸針に戻すことを意味する。）（８）ステップ８表糸と裏糸が前側針床Ｆおよび後側針床Ｂの編針に給糸され、それぞれ、表糸および裏糸のループがコース方向（図１２の紙面で見て右側から左側方向）に形成される。（９）ステップ９後ろ側針床Ｂのループ位置において、目移し針が横編機上で選別され、目移しの準備がなされる。（１０）ステップ１０ステップ９で選別された編針を後側針床Ｂから前側針床Ｆに対して、ステップ１０の矢印の方向に目移しが行われる。これによって、目移し返還動作が終了となって、組織名ガーター編みが編成される。このステップ１０が終了すると、再度、ステップ１に戻り、ステップ１〜ステップ１０の編成工程が繰り返されることによって、コース方向およびウエール方向に所定量のガーター編部４７が編成される。
【００２１】上述した靴下１０において、５つの各指袋部３２〜４０のウエール方向の編み目の数を調整することによって、各指袋部３２〜４０の高さ（厚み方向の長さ）を適宜調整することができる。そのため、より一層、着用者の５本指の足指の大きさに対応した、この場合、親指から小指まで足指の厚みの変化に対応した履きやすい靴下を編成することができる。
【００２２】  上述した靴下１０では、上面編地部４２、下面編地部４４および先端面編地部４８の編み目方向と、対向する２つの側面編地部４６，４６の編み目方向とが、特に、直交する方向に編成されているが、それに限定されるものではなく、直交（９０°に交差）する方向以外にも、たとえば９０°以外の角度で交差する方向に編成するようにしてもよい。この場合、上面編地部４２、下面編地部４４、先端面編地部４６の内の少なくとも上面編地部４２および下面編地部４４の編み目方向と、対向する２つの側面編地部４６，４６の編み目方向とが、直交（９０°に交差）する方向、あるいは、９０°以外の角度で交差する方向に編成されていればよい。
【００２３】さらに、上述した靴下１０では、上面編地部４２，下面編地部４４および先端面編地部４８の全面にそれぞれ平編み部４３，４５および４９が編成され、対向する２つの側面編地部４６，４６の全面にそれぞれガーター編み部４７が編成されたが、平編み部４３，４５および４９は、上面編地部４２，下面編地部４４および先端面編地部４８の編地面の少なくとも一部に編成されていてもよく、また、ガーター編み部４７は、対向する２つの側面編地部４６，４６の編地面の少なくとも一部に編成されていてもよい。要するに、上面編地部４２、下面編地部４４、先端面編地部４６の内の少なくとも上面編地部４２および下面編地部４４の編み目方向と、対向する２つの側面編地部４６，４６の編み目方向とが、直交（９０°に交差）する方向、あるいは、９０°以外の角度で交差する方向に編成されていれば、平編み部４３，４５，４９、および、ガーター編み部４７は、それぞれ、部分的に編成されていてもよい。
【００２４】また、上述した靴下１０では、上面編地部４２，下面編地部４４および先端面編地部４８のそれぞれに平編み部４３，４５および４９が編成され、対向する２つの側面編地部４６，４６のそれぞれにガーター編み部４７が編成されたが、反対に、面編地部４２，下面編地部４４および先端面編地部４８のそれぞれにガーター編み部を編成し、対向する２つの側面編地部４６，４６のそれぞれに平編み部を編成するようにしてもよい。
【００２５】  さらに、上述した靴下１０において、対向する２つの側面編地部４６，４６のそれぞれにガーター編み部４７が編成されたが、ガーター編み部は、対向する２つの側面編地部４６，４６に加えて、５つの各指袋部３２〜４０の足表側部１０Ｂの根元側に配設することによって、当該各指袋部３２〜４０自体がより一層立体的なものとなる。なお、図１，図２，図６，図７および図８では、たとえば人指し指用指袋部３４、中指用指袋部３６および薬指用袋部３８の各指袋の根元部側に、それぞれ、ガーター編み部５４，５６および５８を配設した場合を例示している。
【００２６】  また、上述した靴下１０では、上面編地部４２，下面編地部４４および先端面編地部４８のそれぞれに平編み部４３，４５および４９が編成されたが、平編み部に替えて、リブ編み部を編成するようにしてもよい。
【００２７】ところで、この靴下１０は、上記したように、５つの指袋部３２〜４０の各指袋部自体を立体的に編成するための編成構造に特徴を有している以外にも、以下に示す他の特徴を有している。  すなわち、この靴下１０は、たとえば図１〜図９に示すように、当該靴下１０を着用したときに、足甲部１６、足側面１８および土踏まず部２０を含む周胴部２２と対向する靴下１０の部位（以下、「周胴編地部５０」）が、少なくともその一部に、表糸および裏糸と、弾性糸とで編成される編成コースを含み、編成コースは、表糸および裏糸で編成される複数のコース間に、弾性糸が２コース以上編成されていることを特徴としている。
【００２８】  そこで、この周胴編地部５０の編成方法について、たとえば図１３を参照しながら、以下、詳細に説明する。図１３において、左側枠外の英文字Ｂは、横編機の後側針床を示し、英文字Ｆは、前側針床を示し、右側枠外の英文字Ｓ１〜Ｓ６は、工程番号を示し、英文字ＮＫは、選針しない無編成の空コースを示し、図中の黒点・は、前側針床Ｆおよび後側針床Ｂに配設される編針を示し、図中の上下方向の矢印は、矢印の方向に目移しが行われることを示し、図中の黒色の背景の白抜きの数字１は、裏糸を、白抜きの数字２は、表糸を、白抜きの数字５は、ゴム糸等の弾性糸を示している。また、表糸２および裏糸１は、編針位置が同じで、弾性糸５とは別の編針位置となっている。
【００２９】  以下に、図１３を参照しながら、ステップＳ１〜ステップＳ６に係る編成工程ついて、順次、説明する。ステップＳ１〜ステップＳ６に係る編成工程では、表糸の一例として、綿、ポリエステル、指定外繊維（例えば、ウーリーナイロン：ＷＮ）等の混合糸が用いられ得る。また、裏糸の一例としては、ポリウレタン弾性糸等を芯糸に用いて、ナイロン糸およびポリエステル糸等で巻いたＦＴＹ（カバードヤーン／カバーリングヤーン）が用いられ得る。さらに、弾性糸の一例としては、ポリウレタン、ポリエステル等のゴム糸が用いられ得る。
【００３０】（１）ステップＳ１弾性糸５が後側針床Ｂの編針に給糸され、それぞれ、弾性糸５のループがコース方向（図１３の紙面で見て左側から右側方向）に形成される。（２）ステップＳ２弾性糸５が前側針床Ｆの編針に給糸され、それぞれ、弾性糸５のループがコース方向（図１３の紙面で見て右側から左側方向）に形成される。（３）ステップＳ３弾性糸５が後側針床Ｂの編針に給糸され、それぞれ、弾性糸５のループがコース方向（図１３の紙面で見て左側から右側方向）に形成される。（４）ステップＳ４弾性糸５が前側針床Ｆの編針に給糸され、それぞれ、弾性糸５のループがコース方向（図１３の紙面で見て右側から左側方向）に形成される。（５）ステップＳ５表糸２および裏糸１が後側針床Ｂの編針に給糸され、それぞれ、表糸２および裏糸１のループがコース方向（図１３の紙面で見て左側から右側方向）に形成される。（６）ステップＳ６表糸２および裏糸１が前側針床Ｆの編針に給糸され、それぞれ、表糸２および裏糸１のループがコース方向（図１３の紙面で見て左側から右側方向）に形成される。このステップ６が終了すると、再度、ステップ１に戻り、ステップ１〜ステップ６の編成工程が繰り返されることによって、ウエール方向に所定量の周胴編地部５０が編成される。  上記した編成工程ステップ１〜ステップ６では、弾性糸５を例えば天竺ジャガードの柄糸に使うことで従来には無い粘りのある横伸びのある編地となっている。この編成工程ステップ１〜ステップ６では、図１３に示すように、表糸２および裏糸１のループが１コースに対して弾性糸５のループを２コース以上、つまり、複数コース以上で編成することにより構成されていることを特徴としている。
【００３１】また、この靴下１０は、たとえば図３、図４、図５、図９に示すように、当該靴下１０を着用したときに、拇指球部２４および踵部２６と対向する靴下１０の部位（以下では、「拇指球部の編地部２４」および「踵部の編地部２６」と言う。）が、糸量を多くとり編み目を斜めにクロスさせることで強度を付与し、見かけ上、立体的に膨出した編み目構造に編成されていることを特徴としている。この靴下１０では、拇指球部の編地部２４および踵部の編地部２６は、同じ編み目構造（以下、単に、「クロス編み構造２４，２６」と言う。）を有するものである。
【００３２】  そこで、このクロス編み構造２４，２６の編成方法について、たとえば図１４を参照しながら、以下、詳細に説明する。図１４において、左側枠外の英文字Ｂは、横編機の後側針床を示し、英文字Ｆは、前側針床を示し、右側枠外の英文字Ｓ１〜Ｓ６は、工程番号を示し、英文字ＮＫは、選針しない無編成の空コースを示し、図中の黒点・は、前側針床Ｆおよび後側針床Ｂに配設される編針を示し、図中の上下方向の矢印は、矢印の方向に目移しが行われることを示している。
【００３３】  以下に、図１４を参照しながら、ステップＳ１〜ステップＳ６に係る編成工程ついて、順次、説明する。ステップＳ１〜ステップＳ６に係る編成工程では、表糸の一例として、綿、ポリエステル、指定外繊維（例えば、ウーリーナイロン：ＷＮ）等の混合糸が用いられ得る。また、裏糸の一例としては、ポリウレタン弾性糸等を芯糸に用いて、ナイロン糸およびポリエステル糸等で巻いたＦＴＹ（カバードヤーン／カバーリングヤーン）が用いられ得る。
【００３４】（１）ステップ１表糸と裏糸が前側針床Ｆおよび後側針床Ｂの編針に給糸され、それぞれ、表糸と裏糸のループがコース方向（図１４の紙面で見て右側から左側方向）に形成される。前側針床Ｆの編針でニット編み目、後側針床Ｂの編針でタック編み目を形成している。すなわち、前側針床Ｆの編針と後側針床Ｂの編針とに、交互に給糸して、ニット編み目およびタック編み目を形成している。この場合、後側針床Ｂの給糸針位置は、空針位置となっている。この空針位置とは、針抜き編成時での本来編まない、つまり、編み目（ループ）を形成しない針目移し用の針のことを意味する。（２）ステップ２表糸と裏糸が前側針床Ｆおよび後側針床Ｂの編針に給糸され、それぞれ、表糸と裏糸のループがコース方向（図１４の紙面で見て左側から右側方向）に形成される。前側針床Ｆの編針でニット編み目、後側針床Ｂの編針でニット編み目を形成している。すなわち、前側針床Ｆの編針と後側針床Ｂの編針とに、交互に給糸して、それぞれ、ニット編み目を形成している。この前側針床Ｆの編針および後側針床Ｂの編針でそれぞれニット編み目を形成する工程がたとえば４回繰り返される。（３）ステップ３後側針床Ｂのループ位置において、目移し針が横編機上で選別され、目移しの準備がなされる。この場合、後側針床Ｂは、図１４の紙面で見て左側に２ピッチ分（針２本分）、ラッキング動作が行われる。（４）ステップ４ステップ３で選別された編針を後側針床Ｂから前側針床Ｆに対して、矢印の方向に目移しが行われる。その後、後側針床Ｂは、図１４の紙面で見て右側に２ピッチ分、ラッキングされ、元の位置に戻る。（５）ステップ５後側針床Ｂのループ位置において、目移し針が横編機上で選別され、目移しの準備がなされる。この場合、後側針床Ｂは、図１４の紙面で見て右側に２ピッチ分、ラッキング動作が行われる。（６）ステップ６ステップ５で選別された編針を後側針床Ｂから前側針床Ｆに対して、ステップ６の矢印の方向に目移が行われる。その後、後側針床Ｂは、図１４の紙面で見て左側に２ピッチ分、ラッキングされ、元の位置に戻る。
【００３５】さらに、この靴下１０は、上記した特徴以外にも、たとえば図１、図２、図６、図７および図８に示すように、足甲部１６および足首側部１４間の部位６２（以下、「足首−足甲ライン部６０」と言う。）、当該足首側部１４から親指用指袋部３２の根元側に至る部位６２（以下、「足首−親指ライン部６２」と言う。）、および、当該足首側部１４から小指用指袋部４０の根元側に至る部位６４（以下、「足首−小指ライン部６４」と言う。）に、１コース毎に表糸と裏糸とが交互に出る編み目構造の一例として、たとえばリンクス編み部が編成されていることを特徴としている。リンクス編み部は、ウエール方向の伸縮性が、コース方向の伸縮性よりも大きいものとなっている。そのため、靴下１０の足首−足甲ライン部６０にリンクス編み部を編成することによって、足の長さ方向で見たときの足首側部１４のタテ方向での伸縮性により着用者の足首側にフィットし、当該靴下１０の着用時の足首側のズレを防止することができる。また、靴下１０の足首−親指ライン部６２および足首−小指ライン部６４にリンクス編み部を編成することによって、図８に示すように、靴下１０の足首−親指ライン部６２および足首−小指ライン部６４を介して、足側面部１８，１８の足裏側部１０Ｃ側から足表側部１０Ｂ側への伸縮力を作用させることができるので、足側面部１８，１８でのフィット感を向上させることができる。
【００３６】  さらに、この靴下１０は、上記した特徴以外にも、特に、図５の（Ｃ）に示すように、たとえば小指用指袋部４０の一部に、メッシュ編み部で編成されたメッシュ部６８が配設されている。メッシュ部６８は、対向する２つの側面編地部４６，４６と、上面編地部４２および下面編地部４４との境界部にそれぞれ配設されている。この場合、上面編地部４２の幅方向の両側と、対向する２つの側面編地部４６，４６の高さ方向の上側との間の境界部には、それぞれ、指用指袋部４０の長さ方向に延びる１本のメッシュ部６８が、所定の長さをもって編成されている。また、下面編地部４４の幅方向の両側と、対向する２つの側面編地部４６，４６の高さ方向の下側との間の境界部には、それぞれ、指用指袋部４０の長さ方向に延びる他の１本のメッシュ部６８が、所定の長さをもって配設されている。
【００３７】  同様にして、上記したメッシュ部６８は、図５の（Ｃ）に示す小指用袋部４０以外に、親指用指袋部３２、人差し指用指袋部３４、中指用指袋部３６、薬指用指袋部３８にも、適宜、配設され得るものである。  また、このメッシュ部６８は、たとえば各指袋３２〜４０の先端面編地部４６と隣り合う、上面編地部４２、下面編地部４４および対向する２つの側面編地部４６，４６との境界部に配設するようにしてもよい。  この靴下１０では、上記した部位にメッシュ部６８を編成することによって、各指袋３２〜４０における通気性が向上するため、たとえば従来の指袋付き靴下と比べて、より一層、汗をかいたりしたときの各足指間の蒸れや異臭および水虫等を防止して足指間の快適性を確保することができる。
【００３８】  さらに、この靴下１０では、図１、図２、図６、図７および図８に示すように、たとえば足表側部１０Ａの人差し指用指袋部３４、中指用指袋部３６および薬指用指袋部３８の根元側に編成されたガーター編み部５４、５６および５８と、足甲部１６との間に、メッシュ部６６が配設されている。そのため、人差し指用指袋部３４、中指用指袋部３６および薬指用指袋部３８の根元側の足指挿入口部（図示せず）近傍の通気性も確保することができる。
【００３９】  また、この靴下１０は、図１、図２、図３、図４、図７および図８等に示すように、周胴部２２の一部に、インターシャー部５２が配設されている。この靴下１０では、インターシャー部５２が、足表側部１０Ｂの右側の足側面部１８に跨るようにして、周胴部２２の一部に配設されている。このインターシャー部５２は、例えば、図１３に示す編成工程図で示される弾性糸のニット編成を基本にして、インターシャー編み部で編成されている。すなわち、同種類または異種類の２本のＦＴＹ糸を引き返し編みで部分的に色糸を切り替えることにより、つまり、部分的に色糸を編み込むことにより、所謂、インターシャー編み部が編成されている。このインターシャー編み部では、裏目等の目移し柄を適宜組み合わせることも可能であり、また、部分的に表糸裏糸を入れ替えて編成することも適宜可能となっている。このインターシャー部５２は、足表側部１０Ｂの左側の足側面部１８に跨るようにして、周胴部２２の一部に配設するようにしてもよく、さらに、左右両側の足側面部１８に跨るようにして、周胴部２２の一部に配設するようにしてもよい。  この靴下１０では、上記したように、周胴部２２にインターシャー部５２を編成することによって、足側面部１８の外側に逃げる力をその内側に力が作用するようになるため、当該靴下１０の履き心地が良くなり、足の疲労を軽減することができると共に、当該靴下１０の通気性および軽量化にも寄与するものとなっている。さらに、この靴下１０では、足の内側縦アーチおよび足の外側縦アーチへの押し上げ力も高まって、足甲部１６への当該靴下１０のフィット感が向上するものとなっている。
【００４０】  さらに、この靴下１０は、図１０および図１１に示すように、親指用指袋部３２、人指し指用指袋部３４、中指用指袋部３６、薬指用指袋部３８、小指用指袋部４０の各指袋部の裏面（下面編地部４４の面）と、拇指球部２４の面と、踵部２６の面とに、それぞれ、足裏側部１０Ｃ側から見ると、たとえば「く」の字状（Ｌ字状）の複数の滑り止め部７０が配設されている。これらの滑り止め部７０は、上記した各部の面に、たとえば樹脂材料を印刷、塗布、含浸等の方法により形成され得る。この靴下１０では、滑り止め部７０を足裏側部１０Ｃの前記各部位の面に配設することにより、滑り止め作用を有するものとなっている。
【００４１】  上述した本発明を実施するための形態に係る靴下１０では、特に、上述したように、親指用指袋部３２、人指し指用指袋部３４、中指用指袋部３６、薬指用指袋部３８、小指用指袋部４０の５つの指袋部自体を立体的に編成することができる特徴を有しているため、着用者の５本の足指を各指袋部３２〜４０に通し易くて、従来の５本指付きの靴下に比べて、極めて、履き易い靴下となっている。
【００４２】  上述した本発明を実施するための形態に係る靴下１０では、当該靴下１０のつま先側部分に、着用者の５本の足指をそれぞれ別個に収容する５つの指袋部を有する靴下１０について説明したが、本発明に係る靴下は、５つの指袋部を有する靴下１０のみ限定されるものではなく、５本の足指の内の少なくとも１本以上を収容する、たとえば２つ、３つ、および５つの内のいずれかの数の指袋部を有する靴下であってもよい。この場合、２つの指袋部を有する靴下は、所謂、足袋タイプの靴下のことである。  また、本発明に係る靴下は、５本の足指の内の少なくとも１本以上を収容する指袋部を有するものであれば、５本の足指が１つの指袋部に収容される、所謂、通常の「靴下」に適用され得るものである。さらに、上述した靴下１０では、足指の厚み方向に対向する上面編地部４２および下面編地部４４と、足指の幅方向に対向する２つの側面編地部４６，４６と、上面編地部４２，下面編地部４４，側面部４６，４６で囲繞された足指のつま先部１２側の開口部を閉鎖する先端面編地部４８とにより、指袋部が形成されたが、本発明に係る靴下は、たとえば先端面編地部４８を有していない靴下にも適用され得るものとなっている。
【符号の説明】
【００４３】  １０  靴下  １０Ａ  足挿入口部  １０Ｂ  足表側部  １０Ｃ  足裏側部  １２  つま先部  １４  足首側部  １６  足甲部  １８  足側面部  ２０  土踏まず部  ２２  周胴部  ２４  拇指球部  ２６  踵部  ３０  指袋  ３２  親指用袋部  ３４  人差し指用指袋部  ３６  中指用指袋部  ３８  薬指用指袋部  ４０  小指用指袋部  ４２  上面編地部  ４３，４５，４９  平編み部  ４４  下面編地部  ４６，４６  対向する側面編地部  ４７  ガーター編み部  ４８  先端面編地部５０  周胴編地部  ５２  インターシャー部  ５４，５６，５８  ガーター編み部  ６０  足首−足甲ライン部  ６２  足首−親指ライン部  ６４  足首−小指ライン部  ６６，６８  メッシュ部  ７０  滑り止め部
【図１】
2016079794.tif 000003
【図２】
2016079794.tif 000004
【図３】
2016079794.tif 000005
【図４】
2016079794.tif 000006
【図５】
2016079794.tif 000007
【図６】
2016079794.tif 000008
【図７】
2016079794.tif 000009
【図８】
2016079794.tif 000010
【図９】
2016079794.tif 000011
【図１０】
2016079794.tif 000012
【図１１】
2016079794.tif 000013
【図１２】
2016079794.tif 000014
【図１３】
2016079794.tif 000015
【図１４】
2016079794.tif 000016
【手続補正書】
【提出日】平成28年9月9日(2016.9.9)
【手続補正１】
【補正対象書類名】特許請求の範囲
【補正対象項目名】全文
【補正方法】変更
【補正の内容】
【特許請求の範囲】
【請求項１】
左右方向に延びて、且つ、前後方向に互いに対向する少なくとも前後一対の針床と、
前後の前記針床が相対的にラッキング可能に形成され、且つ、前記前後の針床で編目の目移しが可能なベッドとを有する横編機で編成され、
つま先側部分に５本の足指の内の少なくとも１本以上を収容する指袋を含む靴下であって、
前記指袋は、
前記足指の厚み方向に対向する上面編地部と下面編地部、
前記足指の幅方向に対向する２つの側面編地部、および
前記足指のつま先部側の開口部を閉鎖する先端面編地部を含み、
前記上面編地部および前記下面編地部の編み目方向は、前記足指の長さ方向に延びて編成され、
前記先端面編地部の編み目方向は、前記上面編地部および前記下面編地部の編み目方向と同方向に編成され、
前記２つの側面編地部の編み目方向は、前記足指の高さ方向に延びて編成され、
前記上面編地部、前記下面編地部および前記先端面編地部の編み目方向と、前記２つの側面編地部の編み目方向とは、直交する方向に編成され、前記足指の挿入口部が４角形筒状に編み立てられていることを特徴とする、靴下。
【請求項２】
前記上面編地部、前記下面編地部および前記先端面編地部には、平編み部が編成され、前記平編み部の編み目方向は、前記足指の長さ方向に延びて編成されていることを特徴とし、
前記２つの側面編地部には、ガーター編み部が編成され、前記ガーター編み部の編み目方向は、前記足指の高さ方向に延びて編成されていることを特徴とする、請求項１に記載の靴下。
【請求項３】
前記靴下の前記つま先側部分は、
５本の足指の内の少なくとも１本以上を収容する、２つ、３つ、および５つの内のいずれかの数の指袋を有し、前記指袋の根元部側には、他のガーター編み部が編成されていることを特徴とする、請求項２に記載の靴下。
【請求項４】
前記靴下の前記つま先側部分に、５本の足指をそれぞれ別個に収容する５つの指袋を含み、前記５つの指袋の根元部側には、他のガーター編み部が編成されていることを特徴とする、請求項２に記載の靴下。
【請求項５】
前記５つの指袋の前記先端面編地部、前記上面編地部、前記下面編地部および前記２つの側面編地部間の境界部の内、少なくとも前記上面編地部および前記下面編地部と、前記２つの側面編地部との境界部には、前記足指の長さ方向に延びるメッシュ部が編成されていることを特徴とする、請求項４に記載の靴下。
【請求項６】
前記ラッキングおよび前記目移しが可能な前記横編み機によって、前記指袋は、ウエール方向の編み目の数を調整することで、前記指袋の高さが調整可能となる、請求項１〜請求項５のいずれか１項に記載の靴下。
【請求項７】
左右方向に延びて、且つ、前後方向に互いに対向する少なくとも前後一対の針床と、
前後の前記針床が相対的にラッキング可能に形成され、且つ、前記前後の針床で編目の目移しが可能なベッドとを有する横編機で編成され、
つま先側部分に５本の足指の内の少なくとも１本以上を収容する指袋を含む靴下の編成方法であって、
前記編成方法は、
前記足指の厚み方向に対向する上面編地部および下面編地部と、前記足指の幅方向に対向する２つの側面編地部と、前記足指のつま先部側の開口部を閉鎖する先端面編地部とを備えた前記指袋を編成する工程を含み、
前記上面編地部および前記下面編地部の編み目方向は、前記足指の長さ方向に延びて編成され、
前記先端面編地部の編み目方向は、前記上面編地部および前記下面編地部の編み目方向と同方向に編成され、
前記２つの側面編地部の編み目方向は、前記足指の高さ方向に延びて編成され、
前記上面編地部、前記下面編地部および前記先端面編地部の編み目方向と、前記２つの側面編地部の編み目方向とは、直交する方向に編成され、前記足指の挿入口部が４角形筒状に編み立てるように編成したことを特徴とする、靴下の編成方法。
【請求項８】
前記指袋を編成する工程は、
前記上面編地部、前記下面編地部および前記先端面編地部に、編み目方向が前記足指の長さ方向に延びる平編み部を編成する工程、および
前記２つの側面編地部に、編み目方向が前記足指の高さ方向に延びるガーター編み部を編成する工程を含むことを特徴とする、請求項７に記載の靴下の編成方法。
【請求項９】
前記指袋を編成する工程は、
前記靴下の前記つま先側部分に、５本の足指の内の少なくとも１本以上を収容する、２つ、３つ、および５つの内のいずれかの数の指袋を編成する工程、および
前記指袋の根元部側に、他のガーター編み部を編成する工程を含むことを特徴とする、請求項８に記載の靴下の編成方法。
【請求項１０】
前記指袋を編成する工程は、
前記靴下の前記つま先側部分に、５本の足指をそれぞれ別個に収容する５つの指袋を編成する工程、および
前記５つの指袋の根元部側に、他のガーター編み部を編成する工程を含むことを特徴とする、請求項８に記載の靴下の編成方法。
【請求項１１】
前記指袋を編成する工程は、
前記５つの指袋の前記先端面編地部、前記上面編地部、前記下面編地部および前記２つの側面編地部間の境界部の内、少なくとも前記上面編地部および前記下面編地部と、前記２つの側面編地部との境界部に、前記足指の長さ方向に延びるメッシュ部を編成する工程を含むことを特徴とする、請求項１０に記載の靴下の編成方法。
【請求項１２】
前記指袋を編成する工程は、
前記ラッキングおよび前記目移しが可能な前記横編み機によって、ウエール方向の編み目の数を調整することで、前記指袋の高さが調整可能となる、請求項７〜請求項１１のいずれか１項に記載の靴下の編成方法。
【手続補正２】
【補正対象書類名】明細書
【補正対象項目名】０００６
【補正方法】変更
【補正の内容】
【０００６】
請求項１に係る本発明は、左右方向に延びて、且つ、前後方向に互いに対向する少なくとも前後一対の針床と、前後の針床が相対的にラッキング可能に形成され、且つ、前後の針床で編目の目移しが可能なベッドとを有する横編機で編成され、つま先側部分に５本の足指の内の少なくとも１本以上を収容する指袋を含む靴下であって、指袋は、足指の厚み方向に対向する上面編地部および下面編地部と、足指の幅方向に対向する２つの側面編地部と、足指のつま先部側の開口部を閉鎖する先端面編地部とを含み、上面編地部および下面編地部の編み目方向は、足指の長さ方向に延びて編成され、先端面編地部の編み目方向は、上面編地部および下面編地部の編み目方向と同方向に編成され、２つの側面編地部の編み目方向は、足指の高さ方向に延びて編成され、上面編地部、下面編地部および先端面編地部の編み目方向と、２つの側面編地部の編み目方向とは、直交する方向に編成され、足指の挿入口部が４角形筒状に編み立てられていることを特徴とする、靴下である。
請求項１に係る本発明は、特に、上面編地部、下面編地部および先端面編地部の編み目方向と、２つの側面編地部の編み目方向とが、直交する方向に編成され、足指の挿入口部が４角形筒状の指袋に編み立てられている。そのため、上面編地部、下面編地部および先端面編地部と、２つの側面編地部の編み目とは、互いに反発する方向に編成され、当該指袋は、立体的な４角形筒状の態様となるように編成されている。そのため、請求項１に係る本発明の靴下では、当該立体的な４角形筒状の態様を有する指袋に足指を通し易く、結果として、履き易いものとなっている。
請求項２に係る本発明は、請求項１に係る発明に従属する発明であって、上面編地部と下面編地部と先端面編地部とには、平編み部が編成され、平編み部の編み目方向は、足指の長さ方向に延びて編成されていることを特徴とし、２つの側面編地部には、ガーター編み部が編成され、ガーター編み部の編み目方向は、足指の高さ方向に延びて編成されていることを特徴とする、靴下である。
請求項２に係る本発明は、請求項１に係る発明と同様の作用・効果を備え、さらに、上記した構成を有することにより、編み目方向が足指の長さ方向に延びる平編み部を上面編地部と下面編地部と先端面編地部とに編成し、編み目方向が足指の高さ方向に延びるガーター編み部を２つの側面編地部に編成することによって、指袋を形成する編み目が平編み部とガーター編み部とに編み分けられる。
請求項３に係る本発明は、請求項２に係る発明に従属する発明であって、靴下のつま先側部分は、５本の足指の内の少なくとも１本以上を収容する、２つ、３つ、および５つの内のいずれかの数の指袋を有し、指袋の根元部側には、他のガーター編み部が編成されていることを特徴とする、靴下である。
請求項３に係る本発明は、請求項２に係る発明と同様の作用・効果を備え、さらに、上記した構成を有することにより、ガーター編み部を、対向する２つの側面編地部に加えて、上記指袋部の根元側にも配設することによって、当該各指袋部自体がより一層立体的な態様を有するものとなる。
請求項４に係る本発明は、請求項２に係る発明に従属する発明であって、靴下のつま先側部分に、５本の足指をそれぞれ別個に収容する５つの指袋を含み、５つの指袋の根元部側には、他のガーター編み部が編成されていることを特徴とする、靴下である。
請求項４に係る本発明は、請求項２に係る発明と同様の作用・効果を備え、さらに、上記した構成を有することにより、ガーター編み部を、対向する２つの側面編地部に加えて、上記５本の足指の指袋部の根元側にも配設することによって、当該５本の足指の各指袋部自体がより一層立体的な態様を有するものとなる。
請求項５に係る本発明は、請求項４に係る発明に従属する発明であって、５つの指袋の先端面編地部、上面編地部、下面編地部および２つの側面編地部間の境界部の内、少なくとも上面編地部および下面編地部と、２つの側面編地部との境界部に、足指の長さ方向に延びるメッシュ部が編成されていることを特徴とする、靴下である。
請求項５に係る本発明は、請求項４に係る発明と同様の作用・効果を備え、さらに、上記した構成を有することにより、メッシュ部による通気効果を各指袋に付与することが可能となっている。すなわち、各指袋における通気性が向上するため、たとえば従来の指袋付き靴下と比べて、より一層、汗をかいたりしたときの各足指間の蒸れや異臭および水虫等を防止して足指間の快適性を確保することが可能となっている。
請求項６に係る本発明は、請求項１〜請求項５のいずれか１項に係る発明に従属する発明であって、ラッキングおよび目移しが可能な横編み機によって、指袋は、ウエール方向の編み目の数を調整することで、指袋の高さが調整可能となる、靴下である。
請求項６に係る本発明は、請求項１〜請求項５のいずれか１項に係る発明と同様の作用・効果を備え、さらに、上記した構成を有することにより、足指の高さ、すなわち、厚み（太さ）の変化にも対応した指袋を編成することが可能となっている。この場合、ラッキングおよび目移しが可能な横編み機で、ウエール方向の編み目の数を調整することによって指袋の高さが調整される。
請求項７に係る本発明は、左右方向に延びて、且つ、前後方向に互いに対向する少なくとも前後一対の針床と、前後の針床が相対的にラッキング可能に形成され、且つ、前後の針床で編目の目移しが可能なベッドとを有する横編機で編成され、つま先側部分に５本の足指の内の少なくとも１本以上を収容する指袋を含む靴下の編成方法であって、編成方法は、足指の厚み方向に対向する上面編地部および下面編地部と、足指の幅方向に対向する２つの側面編地部と、足指のつま先部側の開口部を閉鎖する先端面編地部とを備えた指袋を編成する工程を含み、上面編地部および下面編地部の編み目方向は、足指の長さ方向に延びて編成され、先端面編地部の編み目方向は、上面編地部および下面編地部の編み目方向と同方向に編成され、２つの側面編地部の編み目方向は、足指の高さ方向に延びて編成され、上面編地部、下面編地部および先端面編地部の編み目方向と、２つの側面編地部の編み目方向とは、直交する方向に編成され、足指の挿入口部が４角形筒状に編み立てるように編成したことを特徴とする、靴下の編成方法である。
請求項７に係る本発明は、上記した構成を有することにより、請求項１に係る発明と同様の作用・効果を備えた指袋を有する靴下が編成される。
請求項８に係る本発明は、請求項７に係る発明に従属する発明であって、指袋を編成する工程は、上面編地部、下面編地部および先端面編地部に、編み目方向が足指の長さ方向に延びる平編み部を編成する工程と、２つの側面編地部に、編み目方向が足指の高さ方向に延びるガーター編み部を編成する工程とを含むことを特徴とする、靴下の編成方法である。
請求項８に係る本発明は、上記した構成を有することにより、請求項２に係る発明と同様の作用・効果を備えた靴下が編成される。
請求項９に係る本発明は、請求項８に係る発明に従属する発明であって、指袋を編成する工程は、靴下のつま先側部分に、５本の足指の内の少なくとも１本以上を収容する、２つ、３つ、および５つの内のいずれかの数の指袋を編成する工程と、指袋の根元部側に、他のガーター編み部を編成する工程とを含むことを特徴とする、靴下の編成方法である。
請求項９に係る本発明は、上記した構成を有することにより、請求項３に係る発明と同様の作用・効果を備えた靴下が編成される。
請求項１０に係る本発明は、請求項８に係る発明に従属する発明であって、指袋を編成する工程は、靴下のつま先側部分に、５本の足指をそれぞれ別個に収容する５つの指袋を編成する工程と、５つの指袋の根元部側に、他のガーター編み部を編成する工程とを含むことを特徴とする、靴下の編成方法である。
請求項１０に係る本発明は、上記した構成を有することにより、請求項４に係る発明と同様の作用・効果を備えた靴下が編成される。
請求項１１に係る本発明は、請求項１０に係る発明に従属する発明であって、指袋を編成する工程は、５つの指袋の先端面編地部、上面編地部、下面編地部および２つの側面編地部間の境界部の内、少なくとも上面編地部および下面編地部と、２つの側面編地部との境界部に、足指の長さ方向に延びるメッシュ部を編成する工程を含むことを特徴とする、靴下の編成方法である。
請求項１１に係る本発明は、上記した構成を有することにより、請求項５に係る発明と同様の作用・効果を備えた靴下が編成される。
請求項１２に係る本発明は、請求項７〜請求項１１のいずれか１項に係る発明に従属する発明であって、指袋を編成する工程は、ラッキングおよび目移しが可能な横編み機によって、ウエール方向の編み目の数を調整することで、指袋の高さが調整可能となる、靴下の編成方法である。
請求項１２に係る本発明は、上記した構成を有することにより、請求項６に係る発明と同様の作用・効果を備えた靴下が編成される。
【国際調査報告】
2016079794.tif 000017
2016079794.tif 000018
2016079794.tif 000019